(57)【要約】  マスタコードブックの設定項目を生成すること。本発明の一態様に係る基地局は、マスタコードブックの複数の設定項目の中から所定の設定項目に対応するコードブックサブセットを確定するコードブック生成部と、前記所定の設定項目の情報を送信する送信部と、を有することを特徴とする。
2017069110.tif 000002
【特許請求の範囲】
【請求項１】
マスタコードブックの複数の設定項目の中から所定の設定項目に対応するコードブックサブセットを確定するコードブック生成部と、
前記所定の設定項目の情報を送信する送信部と、を有することを特徴とする基地局。
【請求項２】
前記所定の設定項目に基づいてビームを合成するビーム合成部を有することを特徴とする請求項１に記載の基地局。
【請求項３】
前記複数の設定項目は第１設定項目及び第１設定項目以外の複数の第２設定項目を含み、
前記第１設定項目に対応する独立のデータストリームビームパターンにて示されるビームは、異なる前記第２設定項目の独立のデータストリームビームパターンにて示されるビーム同士の間で互いに重なっていないビームを含むことを特徴とする請求項２に記載の基地局。
【請求項４】
前記第１設定項目に対応する独立のデータストリームビームパターンにて示されるビームは第１方向及び／又は第２方向において隣接しないことを特徴とする請求項３に記載の基地局。
【請求項５】
前記所定の設定項目に対応し、複数の独立のデータストリームビームパターンを含む設定ビームパターンを確定するパターン確定部を有し、
前記ビーム合成部は、前記複数の独立のデータストリームビームパターンにて示されるビームを合成し、複数のマルチデータストリームビーム項目を形成し、
前記複数のマルチデータストリームビーム項目の中から所定の条件を満たす一部のマルチデータストリームビーム項目を候補マルチデータストリームビーム項目と確定する設定項目生成部を有し、
確定された候補マルチデータストリームビーム項目において、第１方向におけるビームの数は第２方向におけるビームの数と同じであることを特徴とする請求項２に記載の基地局。
【請求項６】
各前記第２設定項目に対応する独立のデータストリームビームパターンにて示されるビームの数は、前記第１設定項目に対応する独立のデータストリームビームパターンにて示されるビームの数と同じであることを特徴とする請求項３に記載の基地局。
【請求項７】
設定項目の情報を受信する受信部と、
マスタコードブックの複数の設定項目の中から前記設定項目に対応するコードブックサブセットを確定するコードブック生成部と、を有することを特徴とする移動局。
【請求項８】
マスタコードブックの複数の設定項目の中から所定の設定項目に対応するコードブックサブセットを確定するステップと、
前記所定の設定項目の情報を送信するステップと、を有することを特徴とする無線通信方法。
【発明の詳細な説明】
【技術分野】
【０００１】
本発明は、多入力多出力（ＭＩＭＯ：Ｍｕｌｔｉｐｌｅ  Ｉｎｐｕｔ  Ｍｕｌｔｉｐｌｅ  Ｏｕｔｐｕｔ）技術に関し、特にマルチデータストリームにてデータ信号を受信側に伝送する場合に適用し、基地局、移動局及び無線通信方法に関する。
【背景技術】
【０００２】
現在のロングタームエボリューション（ＬＴＥ：Ｌｏｎｇ  Ｔｅｒｍ  Ｅｖｏｌｕｔｉｏｎ）などの無線通信システムにおいては、プリコーディングマトリックスコードブックを無線基地局及び移動局に予め格納し、移動局のチャネル状態などにより、予め格納されたコードブックから移動局が無線基地局と通信を行うために使用する符号語（コードワード）を選択する。予め格納されたコードブックから移動局が無線基地局と通信を行うために使用する符号語を高速かつ効率的に選択するために、ＬＴＥに後続するＬＴＥ−Ａｄｖａｎｃｅｄ（ＬＴＥ−Ａ）などの将来の無線通信システムにおいては、まずコードブックに含まれている符号語に対し初歩的な選別を行い、初歩的に選別された符号語の中からさらに移動局が使用する符号語を選択する方法が既に提案されている。【０００３】
なお、さまざまな応用場面への適用を考慮し、プリコーディングマトリックスのマスタコードブック及びマスタコードブックの異なる設定を利用し、異なる応用場面について異なるコードブックを生成してもよい。具体的には、無線基地局及び移動局に予めマスタコードブックを格納する。無線基地局は実情に応じて設定項目を介して、無線基地局と移動局とが実際のデータ伝送中に使用可能な設定項目コードブックを決定してもよく、当該設定項目コードブックの中の符号語はマスタコードブックの中の符号語のサブセットであってよい。無線基地局は設定項目の情報を移動局に送信し、移動局が設定項目コードブックを正確に生成するようにする。なお、本明細書では、設定項目（コンフィギュレーションエントリ、コンフィギュレーションアイテム）、コンフィギュレーション（設定）及びコンフィギュアド（設定される）という用語は、互換的に使用され得る。
【発明の概要】
【発明が解決しようとする課題】
【０００４】
従来の第３世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ）規格において、シングルデータストリームについてのプリコーディングマトリックスマスタコードブック及びその設定項目の構成態様が既に提案されている。一方、システム容量及びスループットを向上させるために、無線基地局と移動局との間で複数の独立のデータストリームを用い無線通信を行うことが提案されている。したがって、マルチデータストリームを用い無線通信を行う場合においてマスタコードブックの設定項目を生成する方法が必要となる。
【課題を解決するための手段】
【０００５】
本発明の一態様に係る基地局は、マスタコードブックの複数の設定項目の中から所定の設定項目に対応するコードブックサブセットを確定するコードブック生成部と、前記所定の設定項目の情報を送信する送信部と、を有することを特徴とする。【０００６】
また、本発明の一態様によれば、マスタコードブックの設定項目を生成する方法を提供する。前記方法は、マルチデータストリーム伝送の場合においてマスタコードブックの複数の設定項目それぞれに対応する設定ビームパターンを確定し、そのうちのビームパターンは前記マスタコードブックにおいて移動局が使用可能なビームを示し、各前記設定ビームパターンは複数の独立のデータストリームビームパターンを含み、各前記設定項目について、当該設定項目に対応する前記複数の独立のデータストリームビームパターンは同様であるステップと、各前記設定項目に対応する前記複数の独立のデータストリームビームパターンにて示されるビームを合成し、当該設定項目についての複数のマルチデータストリームビーム項目を形成するステップと、各前記設定項目について形成された前記複数のマルチデータストリームビーム項目の中から所定の条件を満たす一部のマルチデータストリームビーム項目を候補マルチデータストリームビーム項目と確定し、確定された前記候補マルチデータストリームビーム項目に基づき当該設定項目を生成するステップと、を含む。【０００７】
また、本発明の一態様によれば、電子機器を提供する。前記電子機器は、マルチデータストリーム伝送の場合においてマスタコードブックの複数の設定項目それぞれに対応する設定ビームパターンを確定し、そのうちのビームパターンは前記マスタコードブックにおいて移動局が使用可能なビームを示し、各前記設定ビームパターンは複数の独立のデータストリームビームパターンを含み、各前記設定項目について、当該設定項目に対応する前記複数の独立のデータストリームビームパターンは同様であるパターン確定部と、各前記設定項目に対応する前記複数の独立のデータストリームビームパターンにて示されるビームを合成し、当該設定項目についての複数のマルチデータストリームビーム項目を形成するビーム合成部と、各前記設定項目について形成された前記複数のマルチデータストリームビーム項目の中から所定の条件を満たす一部のマルチデータストリームビーム項目を候補マルチデータストリームビーム項目と確定し、確定された前記候補マルチデータストリームビーム項目に基づき当該設定項目を生成する設定項目生成部と、を含む。
【発明の効果】
【０００８】
本発明の上記態様は、マルチデータストリームにて無線通信を行う場合において基地局、移動局及び無線通信方法を提供する。なお、本発明に係る実施例においては、より少ないビームを用いマスタコードブックの設定項目を形成し、よって移動局に必要な後続の動作を簡略化することができる。
【図面の簡単な説明】
【０００９】
図面を参照しながら本発明の実施形態について詳細に説明することで、本発明の上記並びにその他の目的、特徴、長所はより明らかになる。
【図１】本発明の実施形態のマスタコードブックの設定項目を生成する方法を示すフローチャートである。
【図２】本発明の一例示の設定ビームパターンの様子を示す説明図である。
【図３】本発明のもう一例示の設定ビームパターンの様子を示す説明図である。
【図４】本発明の実施形態の電子機器を示す機能ブロック図である。
【発明を実施するための形態】
【００１０】
以下、本発明の実施形態について図面を参照しながら説明する。以下の図面を参照しながらの説明を提供することで、特許請求の範囲及びその均等物により限定される本発明の例示的な実施形態への理解を助ける。ただし、それらは例示的なものとしか見なしてはいけない。したがって本技術分野の当業者にとって、本発明の範囲及び思想を逸脱せずに、ここに説明した実施形態に対し各種変更又は修正を行ってもよいことは分かるはずである。なお、明細書をより清楚かつ簡潔にするために，本技術分野において熟知の機能及び構成についての詳細な説明を省略する。
【００１１】
理解を容易にするために、以下の説明で言及される技術用語について説明する。本発明の実施形態の送信側及び受信側のいずれにおいても予めマスタコードブックが格納されており、マスタコードブックは複数の符号語を含む。なお、本発明の実施形態において、各設定項目は当該設定項目に対応する設定項目コードブックを備えており、各設定項目コードブックはマスタコードブックのサブセットである。具体的には、所定の規則によりマスタコードブックの中の符号語をいくつかの符号語セットに分け、各設定項目に対応する設定項目コードブックは各符号語セットから選択された一部の符号語で構成されてもよい。
【００１２】
例えば、マスタコードブックは８１９２個の符号語を含み、この８１９２個の符号語をまずは２５６個の符号語セットに分け、そのうちの各符号語セットは３２個の符号語を含み、設定項目Ａについての設定項目コードブックは各符号語セットの中の２つの符号語を含み、合計でマスタコードブックの中の５１２個の符号語を含む。設定項目Ｂについての設定項目コードブックは各符号語セットの中の１６個の符号語を含み、合計でマスタコードブックの中の４０９６個の符号語を含む。設定項目Ｃについての設定項目コードブックは各符号語セットの中の１６個の符号語を含み、合計でマスタコードブックの中の４０９６個の符号語を含む。設定項目Ｄについての設定項目コードブックは各符号語セットの中の１６個の符号語を含み、合計でマスタコードブックの中の４０９６個の符号語を含む。
【００１３】
各設定項目に対応する設定項目コードブックに含まれる符号語は移動局が無線基地局と通信するために使用可能なビームで表すことができる。例えば、２つのデータストリームでデータ信号を伝送する場合、第１データストリームに使用可能なビーム及び第２データストリームに使用可能なビームにより設定項目に対応するコードブックの中の各符号語を示す。なお、上記マスタコードブックの中の符号語セットは上記マスタコードブックの中の符号語セットに含まれるビーム（以下、「マスタビームセット」と称す）により表すことができる。例えば、２つのデータストリームでデータ信号を伝送する場合に、第１データストリームに使用可能なビーム及び第２データストリームに使用可能なビームによりマスタコードブックの中の各符号語を示す。
【００１４】
以下、図１を参照しながら本発明の実施形態のマスタコードブックの設定項目を生成する方法について説明する。図１は本発明の実施形態のマスタコードブックの設定項目を生成する方法１００を示すフローチャートである。
【００１５】
ステップＳ１０１において、マルチデータストリーム伝送の場合においてマスタコードブックの複数の設定項目それぞれに対応する設定ビームパターンを確定する。ここで、マルチデータストリーム伝送の場合、各設定項目に対応する設定ビームパターンは複数の独立のデータストリームビームパターンを含む。独立のデータストリームビームパターンの数は伝送されるデータストリームの数と同じである。例えば、２つのデータストリームにてデータ信号を伝送する場合、各設定項目に対応する設定ビームパターンは２つの独立のデータストリームビームパターン（第１データストリームビームパターン、第２データストリームビームパターン）を含む。
【００１６】
本発明の実施形態において、各設定項目について、当該設定項目に対応する複数の独立のデータストリームビームパターンは同様である。例えば、マスタコードブックに対し、例えば４つの設定項目（設定項目Ａ、設定項目Ｂ、設定項目Ｃ、設定項目Ｄ）を設けることができる。なお、本発明の実施形態において、設定項目の数は他の数であってもよい。設定項目Ａについて、第１データストリームビームパターンと第２データストリームビームパターンとは同様であり、設定項目Ｂについて、第１データストリームビームパターンと第２データストリームビームパターンとは同様である。設定項目Ｃ及び設定項目Ｄについても、同様に、第１データストリームビームパターンと第２データストリームビームパターンとは同様である。
【００１７】
なお、ビームパターンはマスタビームセットにおいて移動局が使用可能なビームを示す。言い換えれば、各設定項目に対応する設定ビームパターンは当該設定項目の中の、マスタビームセットにおいて移動局が使用可能なビームを示す。各設定ビームパターンは無線基地局と移動局との間で通信を行うためのデータストリームと等しい数の独立のデータストリームビームパターンを含んでもよい。各独立のデータストリームビームパターンはマスタビームセットにおいて使用可能なビームを示す。例えば、第１データストリームビームパターンは第１データストリームにおいて移動局が使用可能なビームを示し、第２データストリームビームパターンは第２データストリームにおいて移動局が使用可能なビームを示す。
【００１８】
図２は本発明の一例示の設定ビームパターンの様子を示す説明図である。図３は本発明のもう一例示の設定ビームパターンの様子を示す説明図である。図２及び図３に示した例示においては、無線基地局と移動局との間で２つの独立のデータストリームを用いて伝送を行うと仮定する。図２及び図３に示すように、この例示において、無線基地局により送信可能な複数のビームを含むマスタビームセットは４＊２の方眼で表されるマスタビームセットである。マスタビームセット中の各方眼は１つのビームを表す。各独立のデータストリームビームパターンは移動局が使用可能なビーム（図２及び図３において斜線で充填された方眼にて示される）を示す。また、図２及び図３に示した例示においては、マスタビームセットに含まれる第１方向上のビームは水平方向のビームであり、第２方向上のビームは垂直方向のビームである場合を例にあげて説明する。ただし、本発明の実施例はこれに限らず、マスタビームセットはその他の方向上のビームから構成されてもよい。
【００１９】
図２及び図３に示すように、設定項目Ａ〜Ｄ中の各設定項目には２つの独立のデータストリームビームパターン、すなわち、第１データストリームビームパターン及び第２データストリームビームパターンが対応しており、なお、同一の設定項目に対応する第１データストリームビームパターンと第２データストリームビームパターンとは同様である。
【００２０】
以下の説明において、（ｘ１，ｙ１）により第１データストリーム中の使用可能なビームを表す。ここで、ｘ１は第１データストリームビームの第１方向上の相対インデックスを表し、ｙ１は第１データストリームビームの第２方向上の相対インデックスを表す。図２及び図３を参照した説明において、ｘ１は第１データストリームの水平方向ビームがマスタビームセットにおいての相対インデックスを表し、ｙ１は第１データストリームの垂直方向ビームがマスタビームセットにおいての相対インデックスを表す。もちろん、本発明の実施形態において、水平方向ビームの相対インデックスと垂直方向ビームの相対インデックスとの順序を調整してもよく、例えばｘ１は第１データストリームの垂直方向ビームがマスタビームセットにおいての相対インデックスを表し、ｙ１は第１データストリームの水平方向ビームがマスタビームセットにおいての相対インデックスを表してもよい。
【００２１】
同様に、（ｘ２，ｙ２）により第２データストリーム中の使用可能なビームを表す。ここで、ｘ２は第２データストリームビームの第１方向上の相対インデックスを表し、ｙ２は第２データストリームビームの第２方向上の相対インデックスを表す。図２及び図３を参照した説明において、ｘ２は第２データストリームの水平方向ビームがマスタビームセットにおいての相対インデックスを表し、ｙ２は第２データストリームの垂直方向ビームがマスタビームセットにおいての相対インデックスを表す。もちろん、ｘ２が第２データストリームの垂直方向ビームのマスタビームセットにおける相対インデックスを表し、ｙ２が第２データストリームの水平方向ビームのマスタビームセットにおける相対インデックスを表してもよい。
【００２２】
具体的には、図２に示すように、設定項目Ａについて、第１データストリームビームパターンは第１データストリームにおいて使用可能なビームが（ｘ１＝０，ｙ１＝０）であると示し、第２データストリームビームパターンにて示される第２データストリームにおいて使用可能なビームは第１データストリームビームパターンと同様である。具体的には、以下に説明しているように、特定の符号語セットにおいて、符号語の相対インデックスと符号語の絶対インデックスとは一対一に対応する。したがって、符号語セットを特定するためのパラメータ、及び当該符号語が符号語セットにおいての相対インデックスに基づき、符号語の絶対インデックスを特定することができる。設定項目Ｂについて、第１データストリームビームパターンは第１データストリームにおいて使用可能なビームが（０，０）、（１，０）、（０，１）、（１，１）であると示し、第２データストリームビームパターンにて示される使用可能なビームは第１データストリームビームパターンにて示される使用可能なビームと同様である。設定項目Ｃについて、第１データストリームビームパターンは第１データストリームにおいて使用可能なビームが（０，１）、（１，１）、（２，０）（３，０）であると示し、第２データストリームビームパターンにて示される使用可能なビームは第１データストリームビームパターンにて示される使用可能なビームと同様である。設定項目Ｄについて、第１データストリームビームパターンは第１データストリームにおいて使用可能なビームが（０，０）、（１，０）、（２，０）、（３，０）であると示し、第２データストリームビームパターンにて示される使用可能なビームは第１データストリームビームパターンにて示される使用可能なビームと同様である。
【００２３】
類似して図３に示すように、各設定項目について第１データストリームビームパターン及び第２データストリームビームパターンが対応しており、なお同一の設定項目に対応する第１データストリームビームパターンと第２データストリームビームパターンとは同様である。図３において、斜線で示している方眼は当該データストリームにおいて移動局が使用可能なビームを示す。
【００２４】
具体的には、図３に示すように、設定項目Ａについて、第１データストリームビームパターンは第１データストリームにおいて使用可能なビームが（ｘ１＝０，ｙ１＝０）であると示し、第２データストリームビームパターンにて示される使用可能なビームは第１データストリームビームパターンにて示される使用可能なビームと同様である。設定項目Ｂについて、第１データストリームビームパターンは第１データストリームにおいて使用可能なビームが（０，０）、（２，０）、（０，１）、（２，１）であると示し、第２データストリームビームパターンにて示される使用可能なビームは第１データストリームビームパターンにて示される使用可能なビームと同様である。設定項目Ｃについて、第１データストリームビームパターンは第１データストリームにおいて使用可能なビームが（０，１）、（１，０）、（２，１）（３，０）であると示し、第２データストリームビームパターンにて示される使用可能なビームは第１データストリームビームパターンにて示される使用可能なビームと同様である。設定項目Ｄについて、第１データストリームビームパターンは第１データストリームにおいて使用可能なビームが（０，０）、（１，０）、（２，０）、（３，０）であると示し、第２データストリームビームパターンにて示される使用可能なビームは第１データストリームビームパターンにて示される使用可能なビームと同様である。
【００２５】
なお、本発明の実施形態において、複数の設定項目は第１設定項目及び第１設定項目以外の複数の第２設定項目を含んでもよく、なお第１設定項目に対応する独立のデータストリームビームパターンにて示されるビームは、異なる第２設定項目の独立のデータストリームビームパターンにて示されるビーム同士の間で互いに重なっていないビームを含んでもよい。本発明の一例示によれば、各第２設定項目に対応する独立のデータストリームビームパターンにて示されるビームの数は、第１設定項目に対応する独立のデータストリームビームパターンにて示されるビームの数と同じである。
【００２６】
例えば、図２に示す設定ビームパターンにおいて、設定項目Ｃに対応する独立のデータストリームビームパターンにて示されるビームは、異なる第２設定項目（設定項目Ｂ、設定項目Ｄ）の独立のデータストリームビームパターンにて示されるビーム同士の間で互いに重なっていないビームを含み、そのうち設定項目Ｃに対応する独立のデータストリームビームパターンにて示されるビームの数は設定項目Ｂ及びＤに対応する独立のデータストリームビームパターンにて示されるビームと同じである。
【００２７】
図２に示すように、設定項目Ｂ及びＤの独立のデータストリームビームパターンにて示されるビーム同士の間で互いに重なるビームは（０，０）、（１，０）であり、設定項目Ｃに対応する独立のデータストリームビームパターンにて示されるビームは（０，１）、（１，１）、（２，０）、（３，０）であり、よって当該重なっているビーム（０，０）、（１，０）を含まない。
【００２８】
図２に類似し、図３においても４つの設定項目（すなわち設定項目Ａ、設定項目Ｂ、設定項目Ｃ及び設定項目Ｄ）の設定ビームパターンを示している。ここで、設定項目Ｃについて、設定項目Ｃに対応する独立のデータストリームビームパターンにて示されるビームは、異なる第２設定項目（設定項目Ｂ、設定項目Ｄ）の独立のデータストリームビームパターンにて示されるビーム同士の間で互いに重なっていないビームを含み、そのうち設定項目Ｃに対応する独立のデータストリームビームパターンにて示されるビームの数は設定項目Ｂ及びＤに対応する独立のデータストリームビームパターンにて示されるビームと同じである。例えば、異なる第２設定項目（設定項目Ｂ、設定項目Ｄ）の独立のデータストリームビームパターンにて示されるビーム同士の間で互いに重なるビームは（０，０）、（２，０）であり、設定項目Ｃに対応する独立のデータストリームビームパターンにて示されるビームは（０，１）、（１，０）、（２，１）、（３，０）であり、したがって当該重なっているビーム（０，０）、（２，０）を含まない。
【００２９】
なお、本発明の実施形態においては、第１設定項目の独立のデータストリームビームパターンにて示されるビームは第１方向及び／又は第２方向において隣接しなくてもよい。
【００３０】
例えば、図３に示す設定ビームパターンにおいて、設定項目Ｃについての独立のデータストリームビームパターンはビーム（０，１）、（１，０）、（２，１）、（３，０）を示している。示された４つのビームにおいて、水平方向ビームの相対インデックスが同一のビームは存在せず、すなわち設定項目Ｃについての独立のデータストリームビームパターンにて示されるビームは垂直方向において隣接しない。また、図３に示す斜線で充填された方眼（当該データストリームにおいて移動局が使用可能なビームを表す）によれば、斜線充填の方眼同士の間は水平方向においても隣接しない。
【００３１】
図１に戻り、ステップＳ１０２において、各設定項目に対応する複数の独立のデータストリームビームパターンにて示されるビームを合成して、当該設定項目についての複数のマルチデータストリームビーム項目を形成する。具体的には、設定項目についての複数のデータストリームビーム項目を生成する際に、当該設定項目に対応する複数の独立のデータストリームビームパターンにて示されるビームの中からそれぞれ１つのビームを選択し、それぞれ選択されたビームを合成して、当該設定項目についてのマルチデータストリームビーム項目を構成する。
【００３２】
例えば、図２に示す設定ビームパターンの場合、設定項目Ａについて、第１データストリームビームパターンにて示されるビームの中から１つのビーム（ｘ１＝０，ｙ１＝０）を選択し、第２データストリームビームパターンにて示されるビームの中から１つのビーム（ｘ２＝０，ｙ２＝０）を選択し、したがって設定項目Ａについてのマルチデータストリームビーム項目（ｘ１＝０，ｙ１＝０，ｘ２＝０，ｙ２＝０）を構成する。また、設定項目Ｂについて、例えば第１データストリームビームパターンにて示されるビームの中から１つのビーム（０，０）を選択し、第２データストリームビームパターンにて示されるビームの中から１つのビーム（０，０）を選択し、したがって設定項目Ｂについてのマルチデータストリームビーム項目（０，０，０，０）を構成し、また例えば第１データストリームビームパターンにて示されるビームの中から１つのビーム（０，０）を選択し、第２データストリームビームパターンにて示されるビームの中から１つのビーム（１，０）を選択し、したがって設定項目Ｂについてのマルチデータストリームビーム項目（０，０，１，０）を構成する。このように、設定項目Ｂについて、第１データストリームビームパターンにおいて４つの使用可能なビームを示し、第２データストリームビームパターンにおいて４つの使用可能なビームを示しているため、設定項目Ｂについての４×４＝１６個のマルチデータストリームビーム項目を構成することができる。同様に、設定項目Ｃ及び設定項目Ｄについても、設定項目Ｃ及び設定項目Ｄについての４×４＝１６個のマルチデータストリームビーム項目を構成することもできる。例えば、設定項目Ｃについて構成できるマルチデータストリームビーム項目は（０，１，０，１）、（０，１，１，１）、（０，１，２，０）、（０，１，３，０）、（１，１，０，１）、（１，１，１，１）、（１，１，２，０）、（１，１，３，０）、（２，０，０，１）、（２，０，１，１）、（２，０，２，０）（２，０，３，０）、（３，０，０，１）、（３，０，１，１）、（３，０，２，０）、（３，０，３，０）である。
【００３３】
上述したように、第１データストリームの使用可能なビームを表す際に、水平方向ビームの相対インデックスと垂直方向ビームの相対インデックスとの順序は調整可能であり、第２データストリームの使用可能なビームを表す際にも、水平方向ビームの相対インデックスと垂直方向ビームの相対インデックスとの順序は調整可能である。また、マルチデータストリームビーム項目を表す際に、各データストリームの相対インデックスの順序も調整可能である。例えば、先に第２データストリームの水平方向ビームの相対インデックス及び垂直方向ビームの相対インデックスを表した後に、第１データストリームの水平方向ビームの相対インデックス及び垂直方向ビームの相対インデックスを表してもよい。さらに例えば、先に第１データストリーム及び第２データストリームの水平方向ビームの相対インデックスを表した後に、第１データストリーム及び第２データストリームの垂直方向ビームの相対インデックスを表してもよい。
【００３４】
ステップＳ１０３において、各設定項目について形成された複数のマルチデータストリームビーム項目の中から所定の条件を満たす一部のマルチデータストリームビーム項目を候補マルチデータストリームビーム項目として確定する。
【００３５】
具体的には、各設定項目について形成された複数のマルチデータストリームビーム項目の中から一部のマルチデータストリームビーム項目を確定する際に、選択される一部のマルチデータストリームビーム項目中の第１データストリームのビームと第２データストリームのビームとは互いに関連しており、よって伝送効率を向上させることができる。例えば、設定項目Ｃについて構成できるマルチデータストリームビーム項目において、ビーム項目（０，１，２，０）について第１データストリームのビームは（０，１）であり、第２データストリームのビームは（２，０）であり、第１データストリームのビームと第２データストリームのビームとは関連性に劣るため、候補マルチデータストリームビーム項目として選択されることはない。
【００３６】
なお、本発明の実施形態においては、各設定項目について形成された複数のマルチデータストリームビーム項目の中から一部のマルチデータストリームビーム項目を確定する際に、他の設定項目中の候補マルチデータストリームビーム項目を考慮し、各設定項目の候補マルチデータストリームビーム項目同士の間で重なるようにしてもよい。
【００３７】
具体的には、図２に示す設定ビームパターンの場合に、設定項目Ｃについて一部のマルチデータストリームビーム項目（０，１，０，１）、（０，１，１，１）、（０，１，３，０）、（１，１，１，１）、（１，１，２，０）、（１，１，３，０）、（２，０，２，０）、（３，０，３，０）を選択し、したがって選択された８つのマルチデータストリームビーム項目を候補マルチデータストリームビーム項目とする。
【００３８】
なお本発明の実施形態においては、マスタビームセットの中で、第１設定項目の候補マルチデータストリームビーム項目において第１方向上のビームの数は第２方向上のビームの数と同じとしてもよい。例えば、上述したように、所定の条件に従って１６個のマルチデータストリームビーム項目から８つの候補マルチデータストリームビーム項目を選択した場合、８つの候補マルチデータストリームビーム項目において、水平方向上のビームの数は垂直方向上のビームの数と同じである。
【００３９】
注意すべきことは、以上図２及び図３を用いて説明した複数のマルチデータストリームビーム項目の中から候補マルチデータストリームビーム項目を選択する方法は本発明の一例示に過ぎず、本発明の実施例に係る選択方法はこれに限らない。具体的な状況に基づき異なる所定の条件を設け、設けられた所定の条件に従って複数のマルチデータストリームビーム項目の中から候補マルチデータストリームビーム項目を選択する。
【００４０】
候補マルチデータストリームビーム項目が確定された後に、ステップＳ１０３において、さらに確定された候補マルチデータストリームビーム項目に基づき当該設定項目を生成する。
【００４１】
具体的には、各設定項目に対し候補マルチデータストリームビーム項目を確定した後に、当該設定項目についてのすべての候補マルチデータストリームビーム項目に基づき当該設定項目についての少なくとも１つのインデックスセットを生成する。
【００４２】
例えば、当該設定項目についての候補マルチデータストリームビーム項目を当該設定項目についてのインデックスセットとしてもよい。その際、当該設定項目についての各インデックスセットにおいて、第１データストリームの水平方向ビームの相対インデックス、第１データストリームの垂直方向ビームの相対インデックス、第２データストリームの水平方向ビームの相対インデックス、第２データストリームの垂直方向ビームの相対インデックスを含む。
【００４３】
なお、当該設定項目についての候補マルチデータストリームビーム項目に基づき当該設定項目についてのインデックスセットを生成する際に、分極方向ビームを表すインデックスｎを追加してもよい。例えば、追加された分極方向ビームのインデックスの取り得る値が２個である場合に、図２に示す設定ビームパターンの設定項目Ｃについて、確定された８つの候補マルチデータストリームビーム項目（０，１，０，１）、（０，１，１，１）、（０，１，３，０）、（１，１，１，１）、（１，１，２，０）、（１，１，３，０）、（２，０，２，０）、（３，０，３，０）に基づき、当該設定項目Ｃについての１６個のインデックスセット（ｘ１＝０，ｙ１＝１，ｘ２＝０，ｙ２＝１，ｎ＝０）、（０，１，０，１，１）、（０，１，１，１，０）、（０，１，１，１，１）、（０，１，３，０，０）、（０，１，３，０，１）、（１，１，１，１，０）、（１，１，１，１，１）、（１，１，２，０，０）、（１，１，２，０，１）、（１，１，３，０，０）、（１，１，３，０，１）、（２，０，２，０，０）、（２，０，２，０，１）、（３，０，３，０，０）、（３，０，３，０，１）を生成する。
【００４４】
上述したように、マルチデータストリームビーム項目を表す際に、各データストリームの相対インデックスの順序も調整可能である。インデックスセットの順序についても、任意に調整してもよい。上記の表示方法においては、先にマルチデータストリームビーム項目の相対インデックを表した後に分極方向ビームのインデックスを表しているが、先に分極方向ビームのインデックスを表してもよい。
【００４５】
具体的には、各設定項目について候補マルチデータストリームビーム項目を確定した後に、当該設定項目についての全ての候補マルチデータストリームビーム項目に基づき当該設定項目についての少なくとも１つのインデックスセットを生成する。具体的には、表１は図２に示した設定ビームパターンの設定項目Ａについてのインデックスセットを示し、表２は図２に示した設定ビームパターンの設定項目Ｂについてのインデックスセットを示し、表３は図２に示した設定ビームパターンの設定項目Ｃについてのインデックスセットを示し、表４は図２に示した設定ビームパターンの設定項目Ｄについてのインデックスセットを示している。
【００４６】
【表１】
2017069110.tif 000003
【００４７】
【表２】
2017069110.tif 000004
【００４８】
【表３】
2017069110.tif 000005
【００４９】
【表４】
2017069110.tif 000006
【００５０】
具体的には、表５は図３に示した設定ビームパターンの設定項目Ａについてのインデックスセットを示し、表６は図３に示した設定ビームパターンの設定項目Ｂについてのインデックスセットを示し、表７は図３に示した設定ビームパターンの設定項目Ｃについてのインデックスセットを示し、表８は図３に示した設定ビームパターンの設定項目Ｄについてのインデックスセットを示している。
【００５１】
【表５】
2017069110.tif 000007
【００５２】
【表６】
2017069110.tif 000008
【００５３】
【表７】
2017069110.tif 000009
【００５４】
【表８】
2017069110.tif 000010
【００５５】
本発明の実施形態において、さらに上記設定項目を介して設定を行い、上記マスタコードブックの中から当該設定項目に対応するコードブックサブセットを確定してもよい。また、複数の設定項目に対応する設定ビームパターンは部分的に重なる。
【００５６】
例えば、図２に示す設定ビームパターンにおいて、設定項目Ｃについて、設定項目Ｃに対応する独立のデータストリームビームパターンにて示されるビーム（０，１）、（１，１）は設定項目Ｂに対応する独立のデータストリームビームパターンにて示されるビームと重なり、設定項目Ｃに対応する独立のデータストリームビームパターンにて示されるビーム（２，０）、（３，０）は設定項目Ｄに対応する独立のデータストリームビームパターンにて示されるビームと重なる。また、設定項目Ａ、Ｂ、Ｄについての独立のデータストリームビームパターンも他の設定項目の独立のデータストリームビームパターンと重なる。
【００５７】
さらに例えば、図３に示す設定ビームパターンにおいて、設定項目Ｃについて、設定項目Ｃに対応する独立のデータストリームビームパターンにて示されるビーム（０，１）、（２，１）は設定項目Ｂに対応する独立のデータストリームビームパターンにて示されるビームと重なり、設定項目Ｃに対応する独立のデータストリームビームパターンにて示されるビーム（１，０）、（３，０）は設定項目Ｄに対応する独立のデータストリームビームパターンにて示されるビームと重なる。また、設定項目Ａ、Ｂ、Ｄについての独立のデータストリームビームパターンも他の設定項目の独立のデータストリームビームパターンと重なる。
【００５８】
なお、複数の設定項目に対応する候補マルチデータストリームビーム項目は部分的に重なる。例えば、図３に示す設定ビームパターンについて生成された候補マルチデータストリームビーム項目の中で、設定項目Ｃに対応する候補マルチデータストリームビーム項目（０，１，０，１）は設定項目Ｂに対応する候補マルチデータストリームビーム項目と重なり、設定項目Ｃに対応する候補マルチデータストリームビーム項目（１，０，１，０）は設定項目Ｄに対応する候補マルチデータストリームビーム項目と重なる。また、設定項目Ａ、Ｂ、Ｄについての候補マルチデータストリームビーム項目も他の設定項目の候補マルチデータストリームビーム項目と重なる。
【００５９】
さらに、複数の設定項目に対応するインデックスセットは部分的に重なる。具体的には、図３に示す設定ビームパターンについて、表５に示す設定項目Ａのインデックスセット、表６に示す設定項目Ｂのインデックスセット、表８に示す設定項目Ｄのインデックスセットの中にはいずれもインデックスセット（０，０，０，０，０）が含まれる。さらに例えば、表６に示す設定項目Ｂのインデックスセット、表７に示す設定項目Ｃのインデックスセットの中にはいずれもインデックスセット（０，１，０，１，０）が含まれる。さらに例えば、表７に示す設定項目Ｃのインデックスセット、表８に示す設定項目Ｄのインデックスセットの中にはいずれもインデックスセット（１，０，１，０，０）が含まれる。
【００６０】
また、本発明の実施形態において、当該設定項目を生成する根拠は確定された候補マルチデータストリームビーム項目である。したがって、上述したように異なる所定の条件に基づき選択された候補マルチデータストリームビーム項目が異なる場合に、当該設定項目についての全ての候補マルチデータストリームビーム項目に基づき生成された、当該設定項目についての少なくとも１つのインデックスセットも異なる。
【００６１】
各設定項目のインデックスセットを生成したら、インデックスセットに対応する設定項目コードブックを生成することができる。
【００６２】
また、本発明の実施形態においては、各設定項目についてのインデックスセットを生成し後に、さらに各設定項目のインデックスセットを組み合わせて、各設定項目についてのインデックスセットを含み、マスタコードブックの符号語セットについてのインデックスセットを生成してもよい。
【００６３】
表９は図２に示した設定ビームパターン例におけるマスタコードブックの符号語セットのインデックスセットを示す。上述したように、各設定項目についてのインデックスセットを生成する際に、各設定項目の候補マルチデータストリームビーム項目同士の間が重なるようにする。そのため、マスタコードブックの符号語セットのインデックスセットの数は設定項目Ａ、設定項目Ｂ、設定項目Ｃ、設定項目Ｄについてのインデックスセットの数の合計より小さい。図２において、設定項目Ａ、設定項目Ｂ、設定項目Ｃ、設定項目Ｄについてのインデックスセットの数は順次に２個、１６個、１６個、１６個であり、その合計は５０個であり、ただし、重畳により、表９において、設定項目Ａ、設定項目Ｂ、設定項目Ｃ、設定項目Ｄについてのインデックスセットを含むマスタコードブックの符号語セットのインデックスセットの数は３２個である。
【００６４】
【表９】
2017069110.tif 000011
【００６５】
表１０は図３に示した設定ビームパターン例において、マスタコードブックの符号語セットのインデックスセットを示す。図２及び表９の例示に類似し、マスタコードブックの符号語セットのインデックスセットの数は設定項目Ａ、設定項目Ｂ、設定項目Ｃ、設定項目Ｄについてのインデックスセットの数の合計より小さい。
【００６６】
【表１０】
2017069110.tif 000012
【００６７】
また、本発明の実施形態において、例えば数式（１）によってデータ伝送時に用いる符号語を確定する。
【００６８】
【数１】
2017069110.tif 000013
【００６９】
ここで、Ｗは符号語を表し、ｍ１は第１データストリームの水平方向ビームの絶対インデックスを表し、ｍ２は第１データストリームの垂直方向ビームの絶対インデックスを表し、ｍ１’は、第２データストリームの水平方向ビームの絶対インデックスを表し、ｍ２’は第２データストリームの垂直方向ビームの絶対インデックスを表し、ｎは分極方向ビームのインデックスを表す。また、ｖは水平方向ビーム、例えばＤＦＴベクトルを表し、ｕは垂直方向ビーム、例えばＤＦＴベクトルを示し、ψは分極方向ビーム、例えばＤＦＴベクトルを表し、Ｑはアンテナ総数を表す。
【００７０】
具体的には、マスタコードブックの符号語セットのインデックスｉ１、１及びｉ１、２、及び当該マスタコードブックの符号語セットの中のインデックスセットに基づき、当該マスタコードブックの符号語セットに含まれる符号語を確定することができる。マスタコードブックの符号語セットのインデックスｉ１、１及びｉ１、２は送信側から受信側に通知してもよく、受信側から送信側にフィードバックしてもよく、ｉ１、１及びｉ１、２はそれぞれ異なる方向上のマスタコードブックの符号語セットのインデックスであってもよい。例えば、ｉ１、１はマスタコードブックの符号語セットの水平方向インデックスであり、ｉ１、２はマスタコードブックの符号語セットの垂直方向インデックスであってもよい。
【００７１】
例えば上記の数式（１）に基づき、表１１に示すようにマスタコードブックの符号語セットに含まれる符号語を求めることができる。表１１に示す数式は図２に示すような設定ビームパターンに適用した場合を示す。すなわち、表１１及び表９のインデックスセットは互いに対応している。
【００７２】
以下の表において、ｉ２’はマスタコードブックの中の符号語の順序番号を示し、ｐ１は水平方向上の隣接ビームのインデックス間隔を表し、ｐ２は垂直方向上の隣接ビームのインデックス間隔を表し、ｓ１は水平方向上の隣接符号語セットのインデックス間隔を表し、ｓ２は垂直方向上の隣接符号語セットのインデックス間隔を表す。また、本発明の実施形態の説明において、水平方向と垂直方向とは互いに入れ替えてもよく、したがって水平方向についてのインデックスなどのパラメータと垂直方向についてのインデックスなどのパラメータとは互いに入れ替えてもよい。
【００７３】
【表１１】
2017069110.tif 000014
【００７４】
ここで、以下の数式（２）により符号語の絶対インデックスを表すことができる。
【００７５】
【数２】
2017069110.tif 000015
【００７６】
これにより、表９に示したような相対インデックスに基づき各符号語の絶対インデックスを確定する。
【００７７】
また、図２に示した設定ビームパターンについて、設定項目Ａの場合には、ｓ１＝１、ｓ２＝１となり、設定項目Ｂ、Ｃ、Ｄの場合には、ｓ１＝２、ｓ２＝２となる。
ここで、ｐ１＝１、ｐ２＝１である。
【００７８】
また例えば上記の数式（１）に基づき、表１２に示すようにマスタコードブックに含まれる符号語を求めることができる。表１２に示す数式は図３に示した設定ビームパターンに適用した場合を示している。すなわち、表１２と表１０とのインデックスセットは互いに対応している。
【００７９】
ここで、表１２中の数式における記号の意味は表１１と同様であり、よってここでは重複する説明を省略する。
【００８０】
【表１２】
2017069110.tif 000016
【００８１】
表１１及び表１２に示すコードブックにおいては、表９及び表１０に示すインデックスセットにそれぞれ対応するように、各符号語の順序番号ｉ２’を設定している。ただし、マスタコードブックの各符号語の順序は表１１及び表１２に示す態様に限らず、マスタコードブックの中の符号語の順序番号ｉ２’と各符号語のインデックスセットとの間を対応付ければよい。
【００８２】
上記の設定項目コードブックを生成する方法についての説明においては、２つのデータストリームにてデータ信号を伝送する場合を例にして説明したが、より多くのデータストリームにてデータ信号を伝送する場合に適用してもよい。また、設定項目の数は４個に限らず、他の数の設定項目を設けてもよい。なお各設定項目についての設定ビームパターンは図２及び図３に例示の設定ビームパターンに限らず、他の設定ビームパターンと確定してもよい。
【００８３】
本発明の上記実施例はマルチデータストリームを用い無線通信を行う場合にマスタコードブックの設定項目を生成する方法を提供する。また、本発明の実施例に係る設定項目の生成方法においては、より少ないビームを用いマスタコードブックの設定項目を形成し、よって移動局に必要な後続の動作を簡略化することができる。
【００８４】
以下、図４を参照し本発明の実施形態に係る電子機器４００について説明する。本発明の実施形態の電子機器は上記のマスタコードブックの設定項目を生成する方法を実行するために用いられ、例えば基地局、移動局などである。
【００８５】
図４は本発明の実施形態の電子機器４００を示す機能ブロック図である。本発明の実施形態の電子機器４００はパターン確定部４１０、ビーム合成部４２０、設定項目生成部４３０を備える。この３つの手段以外にも、電子機器４００は他の手段、例えばデータ信号又は制御信号に対し各種処理を行う手段をさらに含んでもよく、ただし、これらの手段は発明の実施例の内容と関係がなく、ここではその図示及び説明を省略する。また、本発明の実施例に係る電子機器４００が実行する以下の動作の詳細は、以上の文面において図１〜３を参照し説明した詳細と同様であり、そのためここでは重複を避けるために同様な詳細についての重複な説明を省略する。
【００８６】
パターン確定部４１０は、マルチデータストリーム伝送の場合においてマスタコードブックの複数の設定項目それぞれに対応する設定ビームパターンを確定し、ここで、ビームパターンはビームセットにおいて移動局が使用可能なビームを示す。マルチデータストリーム伝送の場合において、各設定項目に対応する設定ビームパターンは複数の独立のデータストリームビームパターンを含む。独立のデータストリームビームパターンの数は伝送されるデータストリームの数と同じである。例えば、２つのデータストリームにてデータ信号を伝送する場合に、各設定項目に対応する設定ビームパターンは２つの独立のデータストリームビームパターン（すなわち、第１データストリームビームパターン、第２データストリームビームパターン）を含む。
【００８７】
マスタコードブックに対し、例えば４つの設定項目（設定項目Ａ、設定項目Ｂ、設定項目Ｃ、設定項目Ｄ）を設けてもよい。なお、設定項目の数は他の数でもよい。また、各設定項目に対し、当該設定項目に対応する複数の独立のデータストリームビームパターンは同様である。具体的には、図２及び図３に示すように、設定項目Ａについて、第１データストリームビームパターンと第２データストリームビームパターンとは同様であり、設定項目Ｂについて、第１データストリームビームパターンと第２データストリームビームパターンとは同様である。設定項目Ｃ及び設定項目Ｄについても、同様に、第１データストリームビームパターンと第２データストリームビームパターンとは同様である。
【００８８】
また、本発明の実施形態において、複数の設定項目は第１設定項目及び第１設定項目以外の複数の第２設定項目を含んでもよく、第１設定項目に対応する独立のデータストリームビームパターンにて示されるビームは、異なる第２設定項目の独立のデータストリームビームパターンにて示されるビーム同士の間で互いに重なっていないビームを含んでもよい。本発明に係る一例示において、各第２設定項目に対応する独立のデータストリームビームパターンにて示されるビームの数は、第１設定項目に対応する独立のデータストリームビームパターンにて示されるビームの数と同じである。
【００８９】
例えば、図２に示す設定ビームパターンにおいて、設定項目Ｃに対応する独立のデータストリームビームパターンにて示されるビームは、異なる第２設定項目（すなわち設定項目Ｂ、設定項目Ｄ）の独立のデータストリームビームパターンにて示されるビーム同士の間で互いに重なっていないビームを含み、そのうち設定項目Ｃに対応する独立のデータストリームビームパターンにて示されるビームの数は設定項目Ｂ及びＤに対応する独立のデータストリームビームパターンにて示されるビームと同じである。図２に示すように、異なる第２設定項目Ｂ及びＤの独立のデータストリームビームパターンにて示されるビーム同士の間で互いに重なるビームは（０、０）、（１、０）であり、設定項目Ｃに対応する独立のデータストリームビームパターンにて示されるビームは（０，１）、（１，１）、（２，０）、（３，０）であり、よって当該重なっているビーム（０，０）、（１，０）を含まない。
【００９０】
図２に類似し図３においても、示された設定ビームパターンの中に４つの設定項目（すなわち設定項目Ａ、設定項目Ｂ、設定項目Ｃ及び設定項目Ｄ）を含む設定ビームパターンを示している。ここで、設定項目Ｃについて、設定項目Ｃに対応する独立のデータストリームビームパターンにて示されるビームは、異なる第２設定項目（設定項目Ｂ、設定項目Ｄ）の独立のデータストリームビームパターンにて示されるビーム同士の間で互いに重なっていないビームを含み、そのうち設定項目Ｃに対応する独立のデータストリームビームパターンにて示されるビームの数は設定項目Ｂ及びＤに対応する独立のデータストリームビームパターンにて示されるビームと同じである。例えば、異なる第２設定項目（設定項目Ｂ、設定項目Ｄ）の独立のデータストリームビームパターンにて示されるビーム同士の間で互いに重なるビームは（０，０）、（２，０）であり、設定項目Ｃに対応する独立のデータストリームビームパターンにて示されるビームは（０，１）、（１，０）、（２，１）、（３，０）であり、よって当該重なっているビーム（０，０）、（２，０）を含まない。
【００９１】
なお、本発明の実施形態においては、第１設定項目の独立のデータストリームビームパターンにて示されるビームは第１方向及び／又は第２方向において隣接しなくてもよい。
【００９２】
具体的には、図３に示す設定ビームパターンにおいて、設定項目Ｃについての独立のデータストリームビームパターンはビーム（０，１）、（１，０）、（２，１）、（３，０）を示す。示された４つのビームにおいて、水平方向ビームの相対インデックスが同一のビームは存在せず、すなわち設定項目Ｃについての独立のデータストリームビームパターンにて示されたビームは垂直方向において隣接しない。また、図３に示す斜線で充填された方眼（当該データストリームにおいて移動局が使用可能なビームを表す）によれば、斜線充填の方眼同士の間は水平方向においても隣接しない。
【００９３】
図４に戻り、ビーム合成部４２０は、各設定項目に対応する複数の独立のデータストリームビームパターンにて示されるビームを合成して、当該設定項目についての複数のマルチデータストリームビーム項目を形成する。具体的には、設定項目についてのデータストリームビーム項目を生成する際に、当該設定項目に対応する複数の独立のデータストリームビームパターンにて示されるビームの中からそれぞれ１つのビームを選択し、それぞれ選択されたビームを合成して、当該設定項目についてのマルチデータストリームビーム項目を構成する。
【００９４】
例えば、図２に示す設定ビームパターンの場合、設定項目Ａについて、第１データストリームビームパターンにて示されるビームの中から１つのビーム（０，０）を選択し、第２データストリームビームパターンにて示されるビームの中から１つのビーム（０，０）を選択し、したがって設定項目Ａについてのマルチデータストリームビーム項目（０，０，０，０）を構成する。また、設定項目Ｂについて、例えば第１データストリームビームパターンにて示されるビームの中から１つのビーム（０，０）を選択し、第２データストリームビームパターンにて示されるビームの中から１つのビーム（０，０）を選択し、よって設定項目Ｂについてのマルチデータストリームビーム項目（０，０，０，０）を構成する。また例えば第１データストリームビームパターンにて示されるビームの中から１つのビーム（０，０）を選択し、第２データストリームビームパターンにて示されるビームの中から１つのビーム（１，０）を選択し、したがって設定項目Ｂについてのマルチデータストリームビーム項目（０，０，１，０）を構成する。このように、設定項目Ｂについて、第１データストリームビームパターンが４つの使用可能なビームを示し、第２データストリームビームパターンが４つの使用可能なビームを示すため、設定項目Ｂについての４×４＝１６個のマルチデータストリームビーム項目を構成することができる。同様に、設定項目Ｃ及び設定項目Ｄについても、設定項目Ｃ及び設定項目Ｄについての４×４＝１６個のマルチデータストリームビーム項目を構成することもできる。
【００９５】
設定項目生成部４３０は、各設定項目について形成された複数のマルチデータストリームビーム項目の中から所定の条件を満たす一部のマルチデータストリームビーム項目を候補マルチデータストリームビーム項目として確定する。具体的には、各設定項目について形成された複数のマルチデータストリームビーム項目の中から一部のマルチデータストリームビーム項目を確定する際に、選択される一部のマルチデータストリームビーム項目の中の第１データストリームのビームと第２データストリームのビームとは互いに関連しており、よって伝送効率を向上させることができる。例えば、設定項目Ｃについて構成できるマルチデータストリームビーム項目の中で、ビーム項目（０，１，２，０）についての第１データストリームのビームは（０，１）であり、第２データストリームのビームは（２，０）であり、第１データストリームのビームと第２データストリームのビームとは関連性に劣るため、候補マルチデータストリームビーム項目として選択されることはない。
【００９６】
なお、本発明の実施形態において、各設定項目について形成された複数のマルチデータストリームビーム項目の中から一部のマルチデータストリームビーム項目を確定する際に、他の設定項目中の候補マルチデータストリームビーム項目を考慮し、各設定項目の候補マルチデータストリームビーム項目同士の間が重なるようにしてもよい。
【００９７】
具体的には、図２に示す設定ビームパターンの場合に、設定項目Ｃについて一部のマルチデータストリームビーム項目（０，１，０，１）、（０，１，１，１）、（０，１，３，０）、（１，１，１，１）、（１，１，２，０）、（１，１，３，０）、（２，０，２，０）、（３，０，３，０）を選択し、したがって選択された８つのマルチデータストリームビーム項目を候補マルチデータストリームビーム項目とする。
【００９８】
なお、本発明の実施形態においては、マスタビームセットにおいて、第１設定項目の候補マルチデータストリームビーム項目の中で第１方向上のビームの数は第２方向上のビームの数と同じであってもよい。例えば、上述したように、所定の条件に従って１６個のマルチデータストリームビーム項目の中から８つの候補マルチデータストリームビーム項目を選択した場合、８つの候補マルチデータストリームビーム項目の中で、水平方向上のビームの数は垂直方向上のビームの数と同じである。
【００９９】
候補マルチデータストリームビーム項目を確定した後に、設定項目生成部４３０は、さらに確定された候補マルチデータストリームビーム項目に基づき当該設定項目を生成する。
【０１００】
具体的には、各設定項目に対し候補マルチデータストリームビーム項目を確定した後に、当該設定項目についてのすべての候補マルチデータストリームビーム項目に基づき当該設定項目についての少なくとも１つのインデックスセットを生成する。
【０１０１】
例えば、当該設定項目についての候補マルチデータストリームビーム項目を当該設定項目についてのインデックスセットとしてよい。ここで、当該設定項目についての各インデックスセットにおいて、第１データストリームの水平方向ビームの相対インデックス、第１データストリームの垂直方向ビームの相対インデックス、第２データストリームの水平方向ビームの相対インデックス、第２データストリームの垂直方向ビームの相対インデックスを含む。
【０１０２】
なお、当該設定項目の候補マルチデータストリームビーム項目に基づき当該設定項目についてのインデックスセットを生成する際、分極方向ビームを表すインデックスｎを追加してもよい。例えば、追加された分極方向ビームのインデックスの取り得る値が２個ある際に、図２に示す設定ビームパターンの設定項目Ｃについて、確定された８つの候補マルチデータストリームビーム項目（０，１，０，１）、（０，１，１，１）、（０，１，３，０）、（１，１，１，１）、（１，１，２，０）、（１，１，３，０）、（２，０，２，０）、（３，０，３，０）に基づき、当該設定項目Ｃについての１６個のインデックスセット（ｘ１＝０，ｙ１＝１，ｘ２＝０，ｙ２＝１，ｎ＝０）、（０，１，０，１，１）、（０，１，１，１，０）、（０，１，１，１，１）、（０，１，３，０，０）、（０，１，３，０，１）、（１，１，１，１，０）、（１，１，１，１，１）、（１，１，２，０，０）、（１，１，２，０，１）、（１，１，３，０，０）、（１，１，３，０，１）、（２，０，２，０，０）、（２，０，２，０，１）、（３，０，３，０，０）、（３，０，３，０，１）を生成する。
【０１０３】
本発明の実施形態においては、複数の設定項目に対応する設定ビームパターンは部分的に重なってもよい。
【０１０４】
例えば、図２に示す設定ビームパターンにおいて、設定項目Ｃについて、設定項目Ｃに対応する独立のデータストリームビームパターンにて示されるビーム（０，１）、（１，１）は設定項目Ｂに対応する独立のデータストリームビームパターンにて示されるビームと重なり、設定項目Ｃに対応する独立のデータストリームビームパターンにて示されるビーム（２，０）、（３，０）は設定項目Ｄに対応する独立のデータストリームビームパターンにて示されるビームと重なる。また、設定項目Ａ、Ｂ、Ｄについての独立のデータストリームビームパターンも他の設定項目の独立のデータストリームビームパターンと重なる。
【０１０５】
さらに例えば、図３に示す設定ビームパターンにおいて、設定項目Ｃについて、設定項目Ｃに対応する独立のデータストリームビームパターンにて示されるビーム（０，１）、（２，１）は設定項目Ｂに対応する独立のデータストリームビームパターンにて示されるビームと重なり、設定項目Ｃに対応する独立のデータストリームビームパターンにて示されるビーム（１，０）、（３，０）は設定項目Ｄに対応する独立のデータストリームビームパターンにて示されるビームと重なる。また、設定項目Ａ、Ｂ、Ｄについての独立のデータストリームビームパターンも他の設定項目の独立のデータストリームビームパターンと重なる。
【０１０６】
なお、各設定項目のインデックスセットを生成し後に、電子機器４００はさらに各設定項目のインデックスセットを組み合わせて、各設定項目についてのインデックスセットを含み、マスタコードブックの符号語セットについてのインデックスセットを生成してもよい。
【０１０７】
例えば、上記の例示においてマスタコードブックインデックスセットは設定項目Ａ、設定項目Ｂ、設定項目Ｃ、設定項目Ｄについてのインデックスセットを含んでもよい。上述したように、各設定項目についてのインデックスセットを生成する際に、各設定項目の候補マルチデータストリームビーム項目同士の間が重なるようにする。そのため、マスタコードブックのインデックスセットの数は設定項目Ａ、設定項目Ｂ、設定項目Ｃ、設定項目Ｄについてのインデックスセットの数の合計より小さい。例えば、設定項目Ａ、設定項目Ｂ、設定項目Ｃ、設定項目Ｄについてのインデックスセットの数は順次に２個、１６個、１６個、１６個であり、その合計は５０個であり、ただし設定項目Ａ、設定項目Ｂ、設定項目Ｃ、設定項目Ｄについてのインデックスセットを含むマスタコードブックのインデックスセットの数は３２個である。
【０１０８】
上記の説明において、電子機器４００は２つのデータストリームにてデータ信号を伝送する場合を例にして説明したが、より多くのデータストリームにてデータ信号を伝送する場合に適用してもよい。また、設定項目の数は４個に限らず、他の数の設定項目を設けてもよい。なお各設定項目についての設定ビームパターンは図２及び図３に例示の設定ビームパターンに限らず、他の設定ビームパターンと確定してもよい。
【０１０９】
なお、電子機器４００はさらにコードブック生成部を備えてもよい。コードブック生成部は設定項目を介して設定され、マスタコードブックの中から当該設定項目に対応するコードブックサブセットを確定してもよい。
【０１１０】
本発明の上記実施例はマルチデータストリームを用い無線通信を行う場合にマスタコードブックの設定項目を生成する電子機器を提供する。また、本発明の実施例に係る電子機器においては、より少ないビームを用いマスタコードブックの設定項目を形成し、よって移動局に必要な後続の動作を簡略化することができる。
【０１１１】
当業者にとって分かるように、本発明の実施形態において説明した各手段及びステップの組みあわせは、電子ハードウェア、コンピュータソフトウェア又は両者の組み合わせにて実施することができる。なお、ソフトウェアモジュールはいかなる形式のコンピュータ記憶媒体に格納されてもよい。例えば、電子機器４００に含まれるパターン確定部４１０、ビーム合成部４２０、設定項目生成部４３０により実現される機能はプロセッサ（例えばＣＰＵ）を通じて実施することができる。
【０１１２】
ハードウェアとソフトウェアとの互換性を明らかに説明するために、上記の説明においてはすでに機能に基づき各例示の構成及びステップを一般的に説明している。これらの機能をハードウェアで実現するか又はソフトウェアで実現するかは、技術的解決手段の特定な応用及び設計の制約条件による。当業者はさまざまな特定な応用に対し異なる方法を用い説明された機能を実施することができ、ただしこのような実施は本発明の請求の範囲を超えたとみなしてはいけない。
【０１１３】
以上に本発明の各実施形態を詳細に説明した。しかしながら、当業者にとって理解すべきことは、本発明の原理及び思想を逸脱せずに、これらの実施形態に対しさまざまな修正、コンビネーション又はサブコンビネーションを行ってもよく、なおこのような修正は本発明の請求の範囲に収まるべきである。
【０１１４】
本出願は、２０１５年１０月１８日出願の中国特許出願第２０１５１０６７３１５２．２号に基づく。この内容は、全てここに含めておく。
【図１】
2017069110.tif 000017
【図２】
2017069110.tif 000018
【図３】
2017069110.tif 000019
【図４】
2017069110.tif 000020
【手続補正書】
【提出日】平成30年4月18日(2018.4.18)
【手続補正１】
【補正対象書類名】特許請求の範囲
【補正対象項目名】全文
【補正方法】変更
【補正の内容】
【特許請求の範囲】
【請求項１】
マスタコードブックの複数の設定項目の中から１つの設定項目に対応するコードブックサブセットを確定するコードブック生成部と、
前記１つの設定項目の情報を送信する送信部と、を有し、
前記複数の設定項目は、４つの設定項目を含み、
第１の設定項目は、使用可能なビームが（０，０）であるビームパターンに対応し、
第２の設定項目は、使用可能なビームが（０，０）、（１，０）、（０，１）、（１，１）であるビームパターンに対応し、
第３の設定項目は、使用可能なビームが（０，１）、（１，１）、（２，０）、（３，０）であるビームパターンに対応し、
第４の設定項目は、使用可能なビームが（０，０）、（１，０）、（２，０）、（３，０）であるビームパターンに対応し、
ここで、（ｘ，ｙ）に関して、ｘは第１方向上の相対インデックスを表し、ｙは第２方向上の相対インデックスを表すことを特徴とする基地局。
【請求項２】
前記１つの設定項目に基づいてビームを合成するビーム合成部を有することを特徴とする請求項１に記載の基地局。
【請求項３】
１つの設定項目の情報を受信する受信部と、
マスタコードブックの複数の設定項目の中から前記１つの設定項目に対応するコードブックサブセットを確定するコードブック生成部と、を有し、
前記複数の設定項目は、４つの設定項目を含み、
第１の設定項目は、使用可能なビームが（０，０）であるビームパターンに対応し、
第２の設定項目は、使用可能なビームが（０，０）、（１，０）、（０，１）、（１，１）であるビームパターンに対応し、
第３の設定項目は、使用可能なビームが（０，１）、（１，１）、（２，０）、（３，０）であるビームパターンに対応し、
第４の設定項目は、使用可能なビームが（０，０）、（１，０）、（２，０）、（３，０）であるビームパターンに対応し、
ここで、（ｘ，ｙ）に関して、ｘは第１方向上の相対インデックスを表し、ｙは第２方向上の相対インデックスを表すことを特徴とする移動局。
【請求項４】
マスタコードブックの複数の設定項目の中から１つの設定項目に対応するコードブックサブセットを確定するステップと、
前記１つの設定項目の情報を送信するステップと、を有し、
前記複数の設定項目は、４つの設定項目を含み、
第１の設定項目は、使用可能なビームが（０，０）であるビームパターンに対応し、
第２の設定項目は、使用可能なビームが（０，０）、（１，０）、（０，１）、（１，１）であるビームパターンに対応し、
第３の設定項目は、使用可能なビームが（０，１）、（１，１）、（２，０）、（３，０）であるビームパターンに対応し、
第４の設定項目は、使用可能なビームが（０，０）、（１，０）、（２，０）、（３，０）であるビームパターンに対応し、
ここで、（ｘ，ｙ）に関して、ｘは第１方向上の相対インデックスを表し、ｙは第２方向上の相対インデックスを表すことを特徴とする無線通信方法。
【手続補正２】
【補正対象書類名】明細書
【補正対象項目名】０００５
【補正方法】変更
【補正の内容】
【０００５】
本発明の一態様に係る基地局は、マスタコードブックの複数の設定項目の中から１つの設定項目に対応するコードブックサブセットを確定するコードブック生成部と、前記１つの設定項目の情報を送信する送信部と、を有し、前記複数の設定項目は、４つの設定項目を含み、第１の設定項目は、使用可能なビームが（０，０）であるビームパターンに対応し、第２の設定項目は、使用可能なビームが（０，０）、（１，０）、（０，１）、（１，１）であるビームパターンに対応し、第３の設定項目は、使用可能なビームが（０，１）、（１，１）、（２，０）、（３，０）であるビームパターンに対応し、第４の設定項目は、使用可能なビームが（０，０）、（１，０）、（２，０）、（３，０）であるビームパターンに対応し、ここで、（ｘ，ｙ）に関して、ｘは第１方向上の相対インデックスを表し、ｙは第２方向上の相対インデックスを表すことを特徴とする。
【国際調査報告】
2017069110.tif 000021
2017069110.tif 000022
2017069110.tif 000023